(57)【要約】【課題】線量計を携帯する作業員及び作業員の周囲にいる作業員に、累積放射線量が所定値に達したことをより確実に警告すること。【解決手段】線量計拡張ユニット１００は、放射線量を測定してアラーム音を発する線量計７００に取り付けられる装置であって、ロープ状に形成されて発光する警告ロープ１６４と、線量計７００が発するアラーム音を取得する入力部１２０と、警告ロープ１６４と入力部１２０とが接続されて、入力部１２０から入力されたアラーム音に基づいて警告ロープ１６４を発光させるか否かを判定し、警告ロープ１６４を発光させる制御部１９０と、を備える。【選択図】        図１
2010151547.tif 000002
【特許請求の範囲】
【請求項１】
放射線量を測定して信号を発する線量計に取り付けられる線量計拡張ユニットであって、
電気が供給されると発光する警告ロープと、
前記線量計が発する前記信号を取得する入力部と、
前記警告ロープが接続されると共に前記入力部が接続され、前記入力部から入力された前記信号に基づいて警告ロープを発光させる制御部と、
を備えることを特徴とする線量計拡張ユニット。
【請求項２】
前記警告ロープは、円環状に形成されて作業員の首に装着されることを特徴とする請求項１に記載の線量計拡張ユニット。
【請求項３】
前記制御部は、前記入力部から入力された音の周波数が記憶部に格納されている基準周波数と同じである場合に前記警告ロープを発光させることを特徴とする請求項１または請求項２に記載の線量計拡張ユニット。
【請求項４】
前記制御部は、前記入力部から入力された音の音量と記憶部に格納されている基準音量との差が許容値以下である場合に前記警告ロープを発光させることを特徴とする請求項１または請求項２に記載の線量計拡張ユニット。
【請求項５】
前記制御部は、前記入力部から入力された音の周波数が記憶部に格納されている基準周波数と同じであり、
かつ、前記入力部から入力された音の音量と記憶部に格納されている基準音量との差が許容値以下である場合に前記警告ロープを発光させることを特徴とする請求項１または請求項２に記載の線量計拡張ユニット。
【請求項６】
ケーシングが前記線量計に接触するように前記線量計に取り付けられることを特徴とする請求項１から請求項５のいずれか一項に記載の線量計拡張ユニット。
【請求項７】
前記警告ロープは、脱着できるように前記制御部に取り付けられることを特徴とする請求項１から請求項６のいずれか一項に記載の線量計拡張ユニット。
【請求項８】
前記制御部は、
前記制御部への電気の供給が停止しても前記線量計が前記信号を発した情報を記憶しておくことを特徴とする請求項１から請求項７のいずれか一項に記載の線量計拡張ユニット。
【請求項９】
前記制御部は、
前記制御部へ電気が供給されてから現在までの間に前記警告ロープが発光したか否かのフラグ情報を消去するリセットスイッチが接続され、
前記警告ロープを一度発光させると、前記制御部への電気の供給が停止されても前記制御部への電気の供給が再開されると、前記リセットスイッチが操作されるまでは前記警告ロープを発光させ続けることを特徴とする請求項１から請求項８のいずれか一項に記載の線量計拡張ユニット。
【請求項１０】
ロープ状に形成されて発光する警告ロープと、
放射線量を測定して信号を発すると共に、前記警告ロープが接続されて、前記信号に基づいて警告ロープを発光させるか否かを判定し、前記警告ロープを発光させる制御部と、
を備えることを特徴とする視覚警告型線量計。
【請求項１１】
前記警告ロープは、首輪状に形成されることを特徴とする請求項１０に記載の視覚警告型線量計。
【請求項１２】
前記警告ロープは、脱着できるように前記制御部に取り付けられることを特徴とする請求項１０または請求項１１に記載の視覚警告型線量計。
【請求項１３】
前記制御部は、
前記制御部への電気の供給が停止しても前記線量計が前記信号を発した情報を記憶しておくことを特徴とする請求項１０から請求項１２のいずれか一項に記載の視覚警告型線量計。
【請求項１４】
前記制御部は、
前記制御部へ電気が供給されてから現在までの間に前記警告ロープが発光したか否かのフラグ情報を消去するリセットスイッチが接続され、
前記警告ロープを一度発光させると、前記制御部への電気の供給が停止されても前記制御部への電気の供給が再開されると、前記リセットスイッチが操作されるまでは前記警告ロープを発光させ続けることを特徴とする請求項１０から請求項１３のいずれか一項に記載の視覚警告型線量計。
【請求項１５】
入力部から音を取得する手順と、
前記入力部から取得した前記音の周波数と、記憶部に格納されている基準周波数とを比較する手順と、
前記音の周波数が前記基準周波数と同じ場合に発光体を発光させる手順と、
を含んで構成されることを特徴とする線量計拡張方法。
【請求項１６】
入力部から音を取得する手順と、
前記入力部から取得した前記音の周波数と、記憶部に格納されている基準周波数とを比較すると共に、前記入力部から取得した前記音の音量と、記憶部に格納されている基準音量とを比較する手順と、
前記音の周波数が前記基準周波数と同じであり、かつ、前記音の音量と前記基準音量との差が許容値以下である場合に発光体を発光させる手順と、
を含んで構成されることを特徴とする線量計拡張方法。
【発明の詳細な説明】
【技術分野】
【０００１】
本発明は、放射線量を測定して信号を発する線量計を拡張する線量計拡張ユニット、及び、放射線量を測定して警告ロープを発光させる視覚警告型線量計、ならびに、線量計を拡張する線量計拡張方法に関する。
【背景技術】
【０００２】
従来、放射線量を測定すると共に、受けた累積放射線量が所定値に達するとアラーム音を発生させる線量計がある。このような線量計を複数の作業員が携えて作業すると、アラーム音が鳴っても誰の線量計のアラーム音であるかを特定しにくいことがある。
【０００３】
そこで、例えば、特許文献１には、累積放射線量が所定値に達した際に、警告音を発するスピーカーと、装置全体を振動させる振動部とを有する振動式ポケット線量装置が開示されている。特許文献１の振動式ポケット線量装置は、振動することによって振動式ポケット線量装置を携帯する作業員に累積放射線量が所定値に達したことを警告する。
【０００４】
【特許文献１】特開平１１−８４００８号公報
【発明の開示】
【発明が解決しようとする課題】
【０００５】
特許文献１に開示されている技術では、現場の雑音でアラーム音が聞こえない場合や、誰の線量計のアラーム音であるかを特定できない場合、振動のみで線量計を携帯する作業員に累積放射線量が所定値に達したことを警告することとなる。しかしながら、作業員は、作業に集中するため線量計の振動に気付きにくい。前記線量計を携帯する作業員が線量計の振動に気付きにくいと、特許文献１に開示されている技術では、累積放射線量が所定値に達したことの警告が不十分となる。
【０００６】
さらに、特許文献１に開示されている技術では、線量計を携帯する作業員のみに累積放射線量が所定値に達したことを警告することとなる。これにより、累積放射線量が所定値に達した線量計を携帯する作業員の周囲にいる作業員が、累積放射線量が所定値に達した線量計を携帯する作業員に注意を促すことができない。よって、特許文献１に開示されている技術では、作業員が互いに注意を促し合うことができない。
【０００７】
本発明は、上記に鑑みてなされたものであって、線量計を携帯する作業員及び前記作業員の周囲にいる作業員に、累積放射線量が所定値に達したことをより確実に警告することを目的とする。
【課題を解決するための手段】
【０００８】
上述した課題を解決し、目的を達成するために、本発明に係る線量計拡張ユニットは、放射線量を測定して信号を発する線量計に取り付けられる線量計拡張ユニットであって、電気が供給されると発光する警告ロープと、前記線量計が発する前記信号を取得する入力部と、前記警告ロープが接続されると共に前記入力部が接続され、前記入力部から入力された前記信号に基づいて警告ロープを発光させる制御部と、を備えることを特徴とする。
【０００９】
また、上述した課題を解決し、目的を達成するために、本発明に係る視覚警告型線量計は、ロープ状に形成されて発光する警告ロープと、放射線量を測定して信号を発すると共に、前記警告ロープが接続されて、前記信号に基づいて警告ロープを発光させるか否かを判定し、前記警告ロープを発光させる制御部と、を備えることを特徴とする。
【００１０】
上記構成により、線量計拡張ユニット及び視覚警告型線量計は、線量計の放射線量が所定値に達したことを、線量計拡張ユニット及び視覚警告型線量計を携帯する作業員のみではなく、前記作業員の周囲にいる前記作業員とは別の作業員にも視覚を通じて警告できる。これにより、線量計拡張ユニット及び視覚警告型線量計は、放射線量が所定値に達したことを作業員が見逃すおそれを抑制できる。
【００１１】
また、例えば、アラーム音のみで放射線量が所定値に達したことを警告する線量計では、前記線量計を携帯する作業員の近くに同じ線量計を携帯する作業員がいる場合に、どちらの線量計が警告を発しているのか特定しにくい。
【００１２】
しかしながら、線量計拡張ユニット及び視覚警告型線量計は、視覚を通じて作業員に放射線量が所定値に達したことを警告する。これにより、作業員が線量計拡張ユニット及び視覚警告型線量計を携帯すれば、どの作業員が携帯する線量計拡張ユニット及び視覚警告型線量計が警告を発しているのかを特定しやすくなる。
【００１３】
また、線量計拡張ユニット及び視覚警告型線量計は、ロープ状に形成されて発光する警告ロープを発光させることによって、放射線量が所定値に達したことを作業員に警告する。これにより、ロープ状に形成されて発光する警告ロープは、点ではなく線で放射線量が所定値に達したことを作業員に警告する。
【００１４】
つまり、線量計拡張ユニット及び視覚警告型線量計は、より広い面積に光を拡散させて、放射線量が所定値に達したことを線で作業員に警告する。これにより、放射線量が所定値に達したことを点で作業員に警告するよりも、線量計拡張ユニット及び視覚警告型線量計は、放射線量が所定値に達したことを作業員が見逃すおそれを抑制できる。
【００１５】
本発明の好ましい態様としては、前記警告ロープは、円環状に形成されて作業員の首に装着されることが望ましい。
【００１６】
例えば、警告ロープを腕に巻きつけて装着する場合、作業中に警告ロープがずり落ちる場合がある。これにより、警告ロープが作業の邪魔になるおそれがある。また、警告ロープをベストに貼り付けておき、作業員が前記ベストを防護服の内側に装着する場合、前記ベストがごわついて作業の邪魔になるおそれがある。
【００１７】
よって、警告ロープは、上記構成のように、首輪状に形成されて首から下げて装着されるように構成されると好ましい。これにより、線量計拡張ユニット及び視覚警告型線量計は、警告ロープが作業の邪魔になるおそれを抑制できる。
【００１８】
本発明の好ましい態様としては、前記制御部は、前記入力部から入力された音の周波数が記憶部に格納されている基準周波数と同じである場合に前記警告ロープを発光させることが望ましい。
【００１９】
入力部は、アラーム音以外にも雑音も検出する。上記構成により、線量計拡張ユニットは、入力部から取得した音がアラーム音であるか、雑音であるかを判定できる。
【００２０】
本発明の好ましい態様としては、前記制御部は、前記入力部から入力された音の音量と記憶部に格納されている基準音量との差が許容値以下である場合に前記警告ロープを発光させることが望ましい。
【００２１】
入力部は、アラーム音以外にも雑音も検出する。また、入力部は、線量計拡張ユニットを携帯する作業員以外の作業員が携帯するアラーム音も検出する。しかしながら、雑音や線量計拡張ユニットを携帯する作業員以外の作業員が携帯する線量計のアラーム音は、入力部に到達する前に減衰して音量が基準音量よりも小さくなる。これにより、雑音や線量計拡張ユニットを携帯する作業員以外の作業員が携帯する線量計のアラーム音の音量と、基準音量との差が許容値よりも大きくなる。
【００２２】
これにより、線量計拡張ユニットは、入力部から取得した音の音量を基準音量と比較することにより、入力部から取得した音が、線量計拡張ユニットが取り付けられる線量計のアラーム音であるか、雑音であるかを判定できる。
【００２３】
本発明の好ましい態様としては、前記制御部は、前記入力部から入力された音の周波数が記憶部に格納されている基準周波数と同じであり、かつ、前記入力部から入力された音の音量と記憶部に格納されている基準音量との差が許容値以下である場合に前記警告ロープを発光させることが望ましい。
【００２４】
上記構成により、線量計拡張ユニットは、周波数のみではなく、音量にも基づいて入力部から取得した音がアラーム音であるか、雑音であるかを判定する。これにより、線量計拡張ユニットは、入力部から取得した音がアラーム音であるか、雑音であるかをより正確に判定できる。
【００２５】
本発明の好ましい態様としては、ケーシングが前記線量計に接触するように前記線量計に取り付けられることが望ましい。
【００２６】
上記構成により、線量計拡張ユニットは、入力部が検出する雑音を低減できる。これにより、線量計拡張ユニットは、入力部から取得した音がアラーム音であるか、雑音であるかをより正確に判定できる。
【００２７】
本発明の好ましい態様としては、前記警告ロープは、脱着できるように前記制御部に取り付けられることが望ましい。
【００２８】
警告ロープは、防護服の外側に装着されることがある。上記構成により、線量計拡張ユニット及び視覚警告型線量計を用いれば、警告ロープを交換できる。
【００２９】
本発明の好ましい態様としては、前記制御部は、前記制御部への電気の供給が停止しても前記線量計が前記信号を発した情報を記憶しておくことが望ましい。
【００３０】
上記構成により、線量計拡張ユニット及び視覚警告型線量計を用いれば、作業員が不正に制御部への電気の供給を停止したか否かを、管理者が後に確認できる。これにより、線量計拡張ユニット及び視覚警告型線量計は、作業員が不正に制御部への電気の供給を停止するおそれを抑制できる。
【００３１】
本発明の好ましい態様としては、前記制御部は、前記制御部へ電気が供給されてから現在までの間に前記警告ロープが発光したか否かのフラグ情報を消去するリセットスイッチが接続され、前記警告ロープを一度発光させると、前記制御部への電気の供給が停止されても前記制御部への電気の供給が再開されると、前記リセットスイッチが操作されるまでは前記警告ロープを発光させ続けることが望ましい。
【００３２】
上記構成により、線量計拡張ユニット及び視覚警告型線量計は、仮に作業員が不正に制御部への電気の供給を停止した場合、制御部への電気の供給を再開すれば警告ロープが発光する。これにより、線量計拡張ユニット及び視覚警告型線量計を用いれば、作業員が不正に制御部への電気の供給を停止したか否かを後に確認できる。よって、線量計拡張ユニット及び視覚警告型線量計は、作業員が不正に制御部への電気の供給を停止するおそれを抑制できる。
【００３３】
上述した課題を解決し、目的を達成するために、本発明に係る線量計拡張方法は、入力部から音を取得する手順と、前記入力部から取得した前記音の周波数と、記憶部に格納されている基準周波数とを比較する手順と、前記音の周波数が前記基準周波数と同じ場合に発光体を発光させる手順と、を含んで構成されることを特徴とする。
【００３４】
入力部は、アラーム音以外にも雑音も検出する。しかしながら、上記の線量計拡張方法を実行することにより、入力部から取得した音がアラーム音であるか、雑音であるかを判定できる。
【００３５】
上述した課題を解決し、目的を達成するために、本発明に係る線量計拡張方法は、入力部から音を取得する手順と、前記入力部から取得した前記音の周波数と、記憶部に格納されている基準周波数とを比較すると共に、前記入力部から取得した前記音の音量と、記憶部に格納されている基準音量とを比較する手順と、前記音の周波数が前記基準周波数と同じであり、かつ、前記音の音量と前記基準音量との差が許容値以下である場合に発光体を発光させる手順と、を含んで構成されることを特徴とする。
【００３６】
入力部は、アラーム音以外にも雑音も検出する。また、入力部は、線量計拡張ユニットを携帯する作業員以外の作業員が携帯するアラーム音も検出する。しかしながら、雑音や線量計拡張ユニットを携帯する作業員以外の作業員が携帯する線量計のアラーム音は、入力部に到達する前に減衰して音量が基準音量よりも小さくなる。これにより、雑音や線量計拡張ユニットを携帯する作業員以外の作業員が携帯する線量計のアラーム音の音量と、基準音量との差が許容値よりも大きくなる。
【００３７】
これにより、線量計拡張ユニットは、入力部から取得した音の音量を基準音量と比較することにより、入力部から取得した音が、線量計拡張ユニットが取り付けられる線量計のアラーム音であるか、雑音であるかを判定できる。加えて、入力部から取得した音の周波数を基準周波数と比較することにより、入力部から取得した音がアラーム音であるか、雑音であるかをさらに正確に判定できる。
【発明の効果】
【００３８】
本発明は、線量計を携帯する作業員及び前記作業員の周囲にいる作業員に、累積放射線量が所定値に達したことをより確実に警告できる。
【発明を実施するための最良の形態】
【００３９】
以下、この発明につき図面を参照しつつ詳細に説明する。なお、この発明を実施するための最良の形態（以下実施形態という）によりこの発明が限定されるものではない。また、下記実施形態における構成要素には、当業者が容易に想定できるもの、実質的に同一のもの、いわゆる均等の範囲のものが含まれる。
【００４０】
（実施形態１）
図１は、実施形態１の線量計と線量計拡張ユニットとを示す斜視図である。図１に示す線量計７００は、線量計７００を通過する放射線量を測定すると共に前記放射線量を累積して累積放射線量を算出し、表示部７１０に累積放射線量を表示する装置である。また、線量計７００は、累積放射線量が所定値に達するとアラーム音を発生させる。
【００４１】
線量計７００の大きさは、例えば、作業員が携帯できる大きさである。線量計７００は、例えば、原子力発電プラントで作業する作業員によって携帯される。なお、線量計７００は、累積放射線量ではなく、単位時間に線量計７００を通過した放射線量を測定して、アラーム音を発生させるものでもよい。
【００４２】
線量計拡張ユニット１００は、線量計７００が備えない機能を実現するための拡張ユニットである。具体的には、線量計拡張ユニット１００は、警告ロープを発光させることで作業員の視覚を通じて累積放射線量が所定値に達したことを作業員に警告する機能を実現する。
【００４３】
図１に示すように、線量計拡張ユニット１００は、取付バンド１７０を備える。取付バンド１７０は、面ファスナーでもよいし、ゴム製の環状バンドでもよい。線量計拡張ユニット１００は、ケーシング１１１が線量計７００に密着して取付バンド１７０によって取り付けられる。ここで、線量計拡張ユニット１００は、音を検出する入力部１２０が配置される部分のケーシング１１１が線量計７００と密着するように取り付けられる。
【００４４】
なお、例えば、線量計拡張ユニット１００と線量計７００との間に緩衝材、例えばスポンジを介在させる場合も、線量計拡張ユニット１００は、ケーシング１１１が線量計７００に密着して取り付けられているものとする。また、線量計７００のケーシングが湾曲していたり、線量計７００のケーシングに突起が形成されたりして、ケーシング１１１との間に隙間が生じる場合も、線量計拡張ユニット１００は、ケーシング１１１が線量計７００に密着して取り付けられているものとする。
【００４５】
線量計拡張ユニット１００は、本体１１０と、警告ロープユニット１６０とを含んで構成される。線量計拡張ユニット１００の大まかな動作は、本体１１０の制御部１９０が線量計７００のアラーム音を取得して、警告ロープユニット１６０の警告ロープ１６４を発光させる。これにより、線量計拡張ユニット１００は、線量計７００の累積放射線量が所定値に達したことを、線量計拡張ユニット１００を携帯する作業員と、前記作業員の周囲にいる作業員とに視覚を通じて警告する。まずは、警告ロープユニット１６０の構成を説明する。
【００４６】
警告ロープユニット１６０は、オスコネクタ１６１と、接続コード１６２と、集合部１６３と、警告ロープ１６４と、警告用発光体１６５と、確認用青色発光体１６６と、確認用赤色発光体１６７とを備える。接続コード１６２は、一方の端部がオスコネクタ１６１に接続され、他方の端部が集合部１６３に接続される。
【００４７】
ここで、本体１１０は防護服の内側に装着されるが、警告ロープユニット１６０は防護服の外側に装着される。そこで、警告ロープユニット１６０は、本体１１０から着脱できるように本体１１０に取り付けられる。具体的には、本体１１０にはメスコネクタ１３０が設けられ、オスコネクタ１６１がメスコネクタ１３０に抜き刺しされることにより、着脱できるように本体１１０に取り付けられる。
【００４８】
これにより、作業員は防護服の外側に装着される警告ロープユニット１６０を例えば定期的に交換できる。なお、防護服が透明の場合は、警告ロープ１６４から発せられる光が防護服を透過する。よって、警告ロープユニット１６０は、透明な防護服の内側に装着されてもよい。この場合、警告ロープユニット１６０を交換する必要がないため、警告ロープユニット１６０は、本体１１０から着脱できるように構成されなくてもよい。
【００４９】
警告ロープ１６４は、例えば、透明のチューブを含んで構成される。警告ロープ１６４は、前記チューブの内部に警告用発光体１６５が複数連なって配置されることによって構成される。警告用発光体１６５は、例えば、赤色のＬＥＤである。警告用発光体１６５が発する光は、透明な前記チューブを透過して警告ロープ１６４の周囲に拡散する。これにより、作業員から見ると警告ロープ１６４が発光して見える。
【００５０】
上記構成により、警告ロープ１６４は、点ではなく線で発光して、放射線量が所定値に達したことを作業員に警告する。よって、線量計拡張ユニット１００は、より広い面積に光を拡散させて、累積放射線量が所定値に達したことを線で作業員に警告する。これにより、累積放射線量が所定値に達したことを点で作業員に警告するよりも、線量計拡張ユニット１００は、累積放射線量が所定値に達したことを作業員が見逃すおそれを抑制できる。
【００５１】
なお、警告ロープ１６４はあえて透明度の低い曇ったチューブの内部に警告用発光体１６５が配置されてもよい。この場合、警告用発光体１６５から発せられる光は、曇ったチューブを透過する際に乱反射して拡散する。これにより、線量計拡張ユニット１００は、警告ロープ１６４全体が発光するように見える。
【００５２】
警告用発光体１６５は、例えば、豆電球であってもよいが、ＬＥＤの方が好ましい。ＬＥＤは、豆電球よりも消費電力が少ない。よって、警告用発光体１６５がＬＥＤの場合、警告用発光体１６５が豆電球の場合よりも線量計拡張ユニット１００の消費電力が低減されて、警告ロープ１６４が発光していられる時間が増加する。つまり、線量計拡張ユニット１００は、警告用発光体１６５がＬＥＤの場合、警告用発光体１６５が豆電球の場合よりも、作業員へ警告できる時間が長くなる。
【００５３】
また、警告用発光体１６５は、赤色に発光するものが好ましい。赤色は、作業員に危機感を与える傾向がある。よって、線量計拡張ユニット１００は、警告用発光体１６５が赤色以外の色に発光する場合よりも、累積放射線量が所定値に達したことをより強く作業員に警告できる。
【００５４】
また、赤色は比較的波長が長い。よって、警告用発光体１６５が赤色に発光することによって、作業員が作業する現場が暗い場所であったり、霧状のモヤがかかって見通しが悪い場所であったりしても、警告用発光体１６５の光がより遠くまで届きやすい。これにより、線量計拡張ユニット１００は、線量計拡張ユニット１００を携帯する作業員以外の作業員が警告用発光体１６５の発光に気付きやすい。
【００５５】
ここで、線量計拡張ユニット１００を携帯する作業員と、前記作業員の周囲にいる前記作業員とは別の作業員を区別するために、線量計拡張ユニット１００を携帯する作業員を特定作業員という。また、特定作業員の周囲にいる作業員を不特定作業員という。なお、特定作業員と、不特定作業員とを区別する必要がないときは、単に作業員という。
【００５６】
なお、不特定作業員も線量計拡張ユニット１００を携帯していてもよい。特定作業員が携帯する線量計拡張ユニット１００を特定の線量計拡張ユニットといい、特定作業員が携帯する線量計を特定の線量計という。また、不特定作業員が携帯する線量計拡張ユニット１００を不特定の線量計拡張ユニットといい、不特定作業員が携帯する線量計を不特定の線量計という。
【００５７】
ここで、線量計がアラーム音のみで作業員に警告する場合は、線量計を携帯する作業員が同じ現場に複数いると、どの作業員が携帯する線量計からアラーム音が発せられているのかを特定しづらい。
【００５８】
しかしながら、線量計拡張ユニット１００は、警告ロープ１６４が発光するため、不特定作業員が線量計拡張ユニット１００を携帯していても、特定の線量計拡張ユニット１００と、不特定の線量計拡張ユニット１００とのうちどちらが作業員に警告しているかを特定しやすい。
【００５９】
以上により、線量計拡張ユニット１００を用いれば、不特定作業員が特定の線量計拡張ユニット１００と同じ線量計拡張ユニットを携帯していても、警告の対象が特定作業員と不特定作業員とのうちどちらなのかを確実に判断できる。
【００６０】
ここで、試作品によると、警告用発光体１６５の数が１６個よりも少ないと、警告ロープ１６４の発光が弱くて作業員への警告が不十分に感じられる。一方、警告用発光体１６５の数が１６個よりも多いと、警告ロープ１６４の消費電力が増加して発光していられる時間が短くなる。
【００６１】
そこで、本実施形態では、警告ロープ１６４は、例えば１６個のＬＥＤが連なって配置される。これにより、警告ロープ１６４は、作業員への警告が不十分となるおそれを抑制しつつ、警告ロープ１６４が発光していられる時間の低下を抑制できる。なお、試作品では、電池で線量計拡張ユニット１００を駆動させたところ、警告ロープ１６４は４時間点灯できる。
【００６２】
警告ロープ１６４は、両方の端部が集合部１６３に接続されて環状に形成される。特定作業員は、円環状の警告ロープ１６４を首から下げて装着する。なお、警告ロープ１６４は、全部が発光する構成に限定されず、一部分が発光する構成でもよい。
【００６３】
例えば、警告ロープ１６４は、円環状のうちの一部分が欠けて形成され、この欠けた部分が紐によって結ばれる構成でもよい。この場合、作業員は、まず紐を解き、欠けた部分から警告ロープを首に装着して、最後に紐を結んで、警告ロープ１６４を首に装着する。
【００６４】
ここで、例えば、警告ロープ１６４を腕に巻きつけて装着する場合、作業中に警告ロープ１６４がずり落ちる場合がある。これにより、警告ロープ１６４が作業の邪魔になるおそれがある。また、警告ロープ１６４をベストに貼り付けておき、特定作業員が前記ベストを防護服の内側に装着する場合、前記ベストがごわついて作業の邪魔になるおそれがある。
【００６５】
よって、警告ロープ１６４は、作業員の平均的な頭部の大きさより大きい円環状に形成されて首から下げて装着されるように構成されると好ましい。つまり、警告ロープ１６４は、首輪状に形成されると好ましい。これにより、線量計拡張ユニット１００は、警告ロープ１６４が作業の邪魔になるおそれを抑制できる。
【００６６】
警告ロープ１６４は、上述のように、特定作業員のみではなく不特定作業員にも特定の線量計７００の累積放射線量が所定値に達したことを警告する。一方、確認用青色発光体１６６及び確認用赤色発光体１６７は、線量計７００の累積放射線量が所定値に達しているか否かを特定作業員が確認するために設けられる。
【００６７】
確認用青色発光体１６６及び確認用赤色発光体１６７は、例えば、集合部１６３に設けられる。確認用青色発光体１６６は、例えば、青色ＬＥＤである。確認用青色発光体１６６は、線量計拡張ユニット１００の電源が投入されてから線量計７００の累積放射線量が所定値に達しない間、青色に発光する。つまり、確認用青色発光体１６６は、警告ロープ１６４が発光していない際に青色に発光する。
【００６８】
これにより、特定作業員は、確認用青色発光体１６６が発光しているのを目視して、線量計拡張ユニット１００の累積放射線量が所定値に達していないことを確認できる。また、特定作業員は、確認用青色発光体１６６が発光しているのを目視して、線量計拡張ユニット１００の電源が投入されていることを確認できる。なお、確認用青色発光体１６６の発光色は、青色に限定されないが、作業員に安心感を与える傾向がある青色や緑色が好ましい。
【００６９】
確認用赤色発光体１６７は、例えば、赤色ＬＥＤである。確認用赤色発光体１６７は、線量計７００の累積放射線量が所定値に達した場合に、赤色に発光する。つまり、確認用赤色発光体１６７は、警告ロープ１６４が発光している際に赤色に発光する。これにより、仮に警告ロープ１６４に不具合が生じても、特定作業員は確認用赤色発光体１６７を目視して、線量計７００の累積放射線量が所定値に達したことを確認できる。
【００７０】
次に、本体１１０の構成を説明する。本体１１０は、ケーシング１１１と、入力部１２０と、メスコネクタ１３０と、電源スイッチ１４０と、リセットスイッチ１５０と、制御部１９０とを含んで構成される。入力部１２０は、線量計７００のアラーム音を検出する。入力部１２０は、例えば、コンデンサマイクや、圧電素子である。
【００７１】
ここで、入力部１２０は、ケーシング１１１の内部に収納される。そこで、ケーシング１１１には、ケーシング１１１の内部に配置される入力部１２０にアラーム音が届きやすいように、ケーシング１１１にケーシング１１１の内部と外部とを貫通する貫通孔１１２が形成される。
【００７２】
なお、貫通孔１１２は複数形成されてもよいし、単数であってもよい。また、貫通孔１１２が形成されなくても、線量計７００のアラーム音がケーシング部材を介してケーシングの内部にまで届く場合は、貫通孔１１２は設けられなくてもよい。
【００７３】
ここで、線量計拡張ユニット１００は線量計７００と共に特定作業員によって携帯される。作業員は、例えば、線量計拡張ユニット１００を防護服よりも内側の作業着のポケットに収納する。よって、線量計拡張ユニット１００は、ケーシング１１１が特定作業員の汗で濡れる場合も考えられる。
【００７４】
よって、線量計拡張ユニット１００は、線量計７００のアラーム音がケーシング部材を介してケーシングの内部にまで届く場合は、貫通孔１１２が設けられない方が好ましい。これにより、線量計拡張ユニット１００は、例えば、特定作業員の汗が貫通孔１１２を介してケーシング１１１の内部に侵入し、前記汗が制御部１９０にまで到達するおそれを抑制できる。
【００７５】
電源スイッチ１４０は、ケーシング１１１に設けられる。電源スイッチ１４０は、ケーシング１１１の内部に収納される制御部１９０と、制御部１９０に電気を供給するバッテリーとを接続する電気回路を開閉する装置である。作業員は、電源スイッチ１４０を操作することにより、制御部１９０へ電気を供給するか否かを操作する。なお、詳細は後述するが、制御部１９０は、作業員が電源スイッチ１４０を操作して制御部１９０への電気の供給を停止しても、リセットされない。
【００７６】
リセットスイッチ１５０は、ケーシング１１１の内部に設けられる。リセットスイッチ１５０は、例えば、小型のプッシュスイッチである。本体１１０は、ケーシング１１１にリセット孔１５１が形成される。リセット孔１５１は、リセットスイッチ１５０が設けられる部分に形成されてケーシング１１１の内部と外部とを貫通する孔である。
【００７７】
線量計拡張ユニット１００の管理者は、リセット孔１５１にピンを挿し込んでリセットスイッチ１５０を押す。これにより、線量計拡張ユニット１００の制御部１９０はリセットされる。ここでいう制御部１９０のリセットとは、警告ロープユニット１６０の警告ロープ１６４の発光を停止させることである。
【００７８】
線量計拡張ユニット１００は、警告ロープ１６４が一度発光すると、リセットスイッチ１５０が押されない限り、電源スイッチ１４０をオフにされても、バッテリーが取り外されても、制御部１９０への電気の供給が再開されれば警告ロープ１６４が発光する。
【００７９】
ここで、線量計拡張ユニット１００を携帯する特定作業員には、リセットスイッチ１５０の存在を明かさない。これは、特定作業員が制御部１９０をリセットできないようにすることが目的である。以下に、特定作業員が制御部１９０をリセットできないようにすることによる効果を説明する。
【００８０】
作業員の安全をより確実に確保するためには、作業の進行を重視して線量計拡張ユニット１００の累積放射線量が所定値に達しても作業を続行する者が作業員の中にいることを想定しておく必要がある。例えば、アラーム音のみで作業員に累積放射線量が所定値に達したことを警告すると、作業の進行を重視して作業を続行する作業員は、「アラーム音が聞こえなかった」と主張することが考えられる。
【００８１】
しかしながら、線量計拡張ユニット１００は、線量計拡張ユニット１００の累積放射線量が所定値に達した時点で、警告ロープ１６４が発光する。これにより、線量計拡張ユニット１００は、特定作業員のみではなく、不特定作業員にも特定の線量計拡張ユニット１００の累積放射線量が所定値に達したことを警告する。よって、特定作業員が作業を続行しようとした場合、特定作業員は本体１１０の電源スイッチ１４０をオフにするか、本体１１０からバッテリーを取り外そうとすることを想定しておく必要がある。
【００８２】
しかしながら、線量計拡張ユニット１００は、警告ロープ１６４が一度発光すると、電源スイッチ１４０をオフにされても、バッテリーが取り外されても、リセットスイッチ１５０が押されない限り制御部１９０への電気の供給が再開されれば警告ロープ１６４が発光する。つまり、作業が完了した後に制御部１９０への電気の供給を再開すると、警告ロープ１６４が再度発光する。
【００８３】
これにより、管理者は、警告ロープ１６４が発光を開始した後に、特定作業員が故意に制御部１９０への電気の供給を停止したことが分かる。よって、特定作業員は、管理者に「警告ロープ１６４が光らなかった」と主張したり、「警告ロープ１６４の発光に気付かなかった」と主張したりすることができない。
【００８４】
このように、管理者は、制御部１９０をリセットできないことを作業員にあらかじめ伝えておけば、線量計拡張ユニット１００の累積放射線量が所定値に達した後に作業員が作業を続行しようとするおそれを抑制できる。これにより、線量計拡張ユニット１００は、作業員の安全をより確実に確保できる。なお、線量計拡張ユニット１００は、作業員の安全をより向上させるための装置であって、作業員の安全は厳重な管理によって確保されている。
【００８５】
以上のように、リセットスイッチ１５０をケーシング１１１の外部に露出させず、ケーシング１１１の内部に隠すことによって、リセットスイッチ１５０の存在を知る者のみ、例えば管理者のみが制御部１９０をリセットできる。これにより、「アラーム音が聞こえなかった」と主張する作業員がいると仮定しても、作業員は警告ロープ１６４が発光したことをごまかすことができない。よって、線量計拡張ユニット１００は、線量計拡張ユニット１００の累積放射線量が所定値に達した後に特定作業員が作業を続行しようとするおそれを抑制できる。
【００８６】
ここで、線量計拡張ユニット１００は、例えば、リセットスイッチ１５０にアクセスするための扉を設けて、前記扉に鍵をかけるように線量計拡張ユニット１００を構成してもよい。これにより、特定作業員が制御部１９０をリセットするおそれをより確実に抑制できる。
【００８７】
図２は、制御部の構成を模式的に示す構成図である。図２に示すように、制御部１９０は、入出力ポート１９１と、記憶部１９２と、演算部１９３とを含んで構成される。入出力ポート１９１は、入力部１２０と電気的に接続される。これにより、制御部１９０は、入力部１２０から取得した音を電気信号として取得する。
【００８８】
また、入出力ポート１９１は、警告ロープユニット１６０と電気的に接続される。これにより、制御部１９０は、警告ロープ１６４と確認用青色発光体１６６と確認用赤色発光体１６７とを発光させるか否かを制御する。具体的には、制御部１９０は、入出力ポート１９１を介して警告ロープ１６４と確認用青色発光体１６６と確認用赤色発光体１６７とへ電気を供給したり、電気の供給を停止したりする。
【００８９】
また、入出力ポート１９１は、リセットスイッチ１５０と電気的に接続される。これにより、制御部１９０は、リセットスイッチ１５０が操作された際に、現在実行中の手順を中止して、記憶部１９２に格納されているフラグをクリアする。
【００９０】
記憶部１９２は、制御部１９０が実行する手順と、前記手順を実行する際に用いられる情報と、前記手順を実行中に記憶しておくべき情報とを記憶する。記憶部１９２は、制御部１９０への電気の供給が停止されても、格納している情報が消去されない記録媒体が用いられる。つまり、記憶部１９２は、不揮発性の記録媒体である。
【００９１】
演算部１９３は、記憶部１９２に格納されている手順を実際に実行する。演算部１９３は、入力部１２０から取得した信号を記憶部１９２に記憶されている基準信号と比較したり、入出力ポート１９１を介して警告ロープユニット１６０に電気を供給したり、電気の供給を停止したり、リセットスイッチ１５０が操作されたか否かを判定したりする。
【００９２】
図３は、制御部が実行する手順を示すフローチャートである。次に、図３を用いて制御部１９０が実行する手順の一例を説明する。なお、以下のフラグＸには、１または０が代入される。
【００９３】
演算部１９３は、ステップＳＴ１０１でフラグＸが０であるか否かを判定する。ここで、フラグＸが０の場合、制御部１９０に電気が供給されてから現在までの間で、警告ロープ１６４及び確認用赤色発光体１６７が一度も発光していないことを示す。また、フラグＸが１の場合、制御部１９０に電気が供給されてから現在までの間で、警告ロープ１６４及び確認用赤色発光体１６７が一度でも発光したことを示す。
【００９４】
フラグＸが０である場合（ステップＳＴ１０１、Ｙｅｓ）、ステップＳＴ１０２で演算部１９３は、入出力ポート１９１を介して確認用青色発光体１６６に電気を供給する。つまり、演算部１９３は、確認用青色発光体１６６を発光させる。
【００９５】
次に、ステップＳＴ１０３で、演算部１９３は、入出力ポート１９１を介して入力部１２０から信号を取得する。ここでいう信号とは、入力部１２０が検出した音が電気信号に変換されたものである。なお、この信号には、線量計７００のアラーム音が電気信号に変換されたもの以外に、線量計７００のアラーム音以外の音、つまり雑音が電気信号に変換されたものが含まれる。
【００９６】
そこで、演算部１９３は、入力部１２０から取得した信号が、線量計７００のアラーム音が電気信号に変換されたものであるか、雑音が電気信号に変換されたものであるかを、以下に示すステップＳＴ１０４及びステップＳＴ１０５で判定する。
【００９７】
演算部１９３は、ステップＳＴ１０４で、入力部１２０から取得した信号の周波数と、記憶部１９２にあらかじめ格納されている基準周波数とを比較する。ここで、基準周波数とは、線量計拡張ユニット１００が取り付けられる線量計７００のアラーム音を電気信号に変換した信号の周波数である。演算部１９３は、入力部１２０から取得した信号の周波数と、基準周波数とが一致した場合に、入力部１２０が検出した音が線量計７００のアラーム音であると判定する。
【００９８】
なお、上述したように、入力部１２０は線量計７００のアラーム音以外にも雑音も検出する。よって、線量計７００のアラーム音に雑音が混ざることがある。これにより、入力部１２０から取得した信号が、線量計７００のアラーム音が電気信号に変換されたものであっても、入力部１２０から取得した信号が基準周波数と完全に一致しないことがある。
【００９９】
そこで、制御部１９０は、入力部１２０から取得した信号の周波数と、基準周波数とが完全には一致しなくても、例えば、入力部１２０から取得した信号の周波数と前記基準周波数との差が許容範囲内であれば入力部１２０から取得した信号の周波数と、基準周波数とが一致したものとして取り扱う。
【０１００】
入力部１２０から取得した信号の周波数と、基準周波数とが一致した場合（ステップＳＴ１０４、Ｙｅｓ）、演算部１９３は、ステップＳＴ１０５で、入力部１２０から取得した信号の振幅と、記憶部１９２にあらかじめ格納されている基準振幅とを比較する。ここで、基準振幅とは、線量計拡張ユニット１００が線量計７００に取り付けられている状態で、線量計拡張ユニット１００の入力部１２０が検出する線量計７００のアラーム音を電気信号に変換した信号の振幅である。
【０１０１】
なお、ここでいう振幅とは、電気信号の振幅であって、電気信号に変換される前の音量に相当する。つまり、演算部１９３は、ステップＳＴ１０５で、入力部１２０が検出した音の音量と、記憶部１９２にあらかじめ格納されている基準音量、つまり線量計７００のアラーム音の音量とを比較する。
【０１０２】
入力部１２０から取得した信号の振幅と基準振幅との差が許容値より大きい場合（ステップＳＴ１０５、Ｎｏ）、または、入力部１２０から取得した信号の周波数と、基準周波数とが一致しない場合（ステップＳＴ１０４、Ｎｏ）、演算部１９３は、ステップＳＴ１０４及びステップＳＴ１０５で肯定的な判定がなされるまで、ステップＳＴ１０３からステップＳＴ１０５を繰り返し実行する。
【０１０３】
ここで、許容値について説明する。線量計７００のアラーム音の周波数は、線量計７００と入力部１２０との距離が変化しても、基本的には変化しない。しかしながら、線量計７００のアラーム音の音量は、線量計７００と入力部１２０との距離が変化すると変化する。また、線量計７００のアラーム音の音量は、線量計７００のバッテリーの残量によっても変化することがある。
【０１０４】
よって、制御部１９０は、入力部１２０から取得した信号の振幅と基準振幅とが完全に一致しなくても、入力部１２０から取得した信号の振幅と基準振幅との差が許容値以下であれば、入力部１２０から取得した信号が、線量計７００のアラーム音が電気信号に変換された信号であるものとして取り扱う。
【０１０５】
入力部１２０から取得した信号の振幅と、基準振幅との差が許容値以下である場合（ステップＳＴ１０５、Ｙｅｓ）、演算部１９３は、ステップＳＴ１０６で、確認用青色発光体１６６を消灯し、警告ロープ１６４及び確認用赤色発光体１６７を発光させる。また、演算部１９３は、フラグＸに１を代入してフラグＸ＝１を不揮発性の記憶部１９２に記憶させる。
【０１０６】
次に、演算部１９３は、ステップＳＴ１０７でリセットスイッチ１５０が操作されたか否かを判定する。演算部１９３は、リセットスイッチ１５０が操作されていないと判定すると（ステップＳＴ１０７、Ｎｏ）、リセットスイッチ１５０が操作されるまでステップＳＴ１０６を繰り返し実行する。
【０１０７】
つまり、演算部１９３は、確認用青色発光体１６６を消灯させ続け、警告ロープ１６４及び確認用赤色発光体１６７を発光させ続ける。なお、フラグＸにはすでに１が代入されているため、ステップＳＴ１０６を繰り返し実行してもフラグＸの値は変化しない。
【０１０８】
ここで、従来の線量計は、所定時間アラーム音を発生させ、所定時間が経過するとアラーム音を停止させるものが多い。しかしながら、線量計拡張ユニット１００は、バッテリーの残量が０になって、警告ロープ１６４及び確認用赤色発光体１６７を発光できなくなるまで、警告ロープ１６４及び確認用赤色発光体１６７を発光させる。
【０１０９】
なお、試作品では、上述のように、警告ロープ１６４及び確認用赤色発光体１６７を４時間発光させておくことができる。これにより、線量計拡張ユニット１００は、特定作業員及び不特定作業員が線量計拡張ユニット１００からの警告を見逃すおそれを抑制できる。
【０１１０】
リセットスイッチ１５０が操作されたと判定すると（ステップＳＴ１０７、Ｙｅｓ）、演算部１９３は、ステップＳＴ１０８でフラグＸに０を代入してフラグＸ＝０を不揮発性の記憶部１９２に記憶させる。そして、演算部１９３は、一連の手順を終了する。
【０１１１】
ここで、確認用青色発光体１６６を消灯させ続け、警告ロープ１６４及び確認用赤色発光体１６７を発光させ続けている間、つまり、ステップＳＴ１０６及びステップＳＴ１０７を繰り返し実行している最中に、特定作業員によって電源スイッチ１４０が操作されて制御部１９０への電気の供給が停止されたとする。次に、電源スイッチ１４０が操作されて制御部１９０に電気が再投入されると、演算部１９３は、ステップＳＴ１０１を実行する。
【０１１２】
この時、不揮発性の記憶部１９２には、フラグＸ＝１が記憶されている。よって、演算部１９３は、ステップＳＴ１０１で、フラグＸが０ではないと判定する（ステップＳＴ１０１、Ｎｏ）。すると、演算部１９３は、ステップＳＴ１０６を実行する。つまり、演算部１９３は、確認用青色発光体１６６を消灯させ続け、警告ロープ１６４及び確認用赤色発光体１６７を発光させ続ける。
【０１１３】
制御部１９０は、以上の手順を実行することにより、入力部１２０が検出した音が特定の線量計７００のアラーム音であるか否かを判定し、入力部１２０が検出した音が特定の線量計７００のアラーム音である場合に、確認用青色発光体１６６を消灯させて、警告ロープ１６４及び確認用赤色発光体１６７を発光させる。これにより、線量計拡張ユニット１００は、特定作業員及び不特定作業員に線量計７００の累積放射線量が所定値に達したことを、作業員の視覚を通じて警告できる。
【０１１４】
また、制御部１９０は、電気が供給されてから現在までの間でステップＳＴ１０６を一度でも実行した後に特定作業員によって電源スイッチ１４０が操作されて制御部１９０への電気の供給が停止されても、電源スイッチ１４０が操作されて制御部１９０に電気が再投入されると、警告ロープ１６４及び確認用赤色発光体１６７を発光させる。これにより、線量計拡張ユニット１００は、特定作業員が不正に電源スイッチ１４０を操作して作業を続行するおそれを抑制できる。
【０１１５】
なお、制御部１９０は、フラグＸ＝１を不揮発性の記憶部１９２に記憶しておくのみでもよい。この場合、管理者は記憶部１９２に格納されているフラグＸの値が０であるか１であるかを作業員の作業後に確認すれば、特定作業員が不正に電源スイッチ１４０を操作したか否かを判断できる。
【０１１６】
但し、特定作業員が不正に電源スイッチ１４０を操作した場合に、制御部１９０に電気が再投入されると、警告ロープ１６４及び確認用赤色発光体１６７が発光するように線量計拡張ユニット１００が構成される方が、管理者は、特定作業員が不正に電源スイッチ１４０を操作したか否かを容易に判断できる。
【０１１７】
なお、制御部１９０は、ステップＳＴ１０４及びステップＳＴ１０５の両方を実行することによって、入力部１２０が検出した音が、特定の線量計７００のアラーム音であるか否かをより正確に判定できる。具体的には、例えば、特定の線量計７００と同じ周波数のアラーム音を発生させる不特定の線量計７００を不特定作業員が携帯していたとする。不特定作業員が特定作業員の近傍で作業している際に、不特定の線量計７００がアラーム音を発生させると、前記アラーム音は特定の線量計拡張ユニット１００の入力部１２０にも届く。
【０１１８】
ここで、仮に、入力部１２０が検出した音の周波数のみに基づいて、入力部１２０が検出した音が線量計７００のアラーム音であるか否かを制御部１９０が判定する場合、不特定の線量計７００のアラーム音を特定の線量計７００のアラーム音として誤って認識するおそれもある。
【０１１９】
しかしながら、不特定の線量計７００は、特定の線量計拡張ユニット１００には密着していない。よって、不特定の線量計７００のアラーム音は、特定の線量計拡張ユニット１００の入力部１２０に到達するまでの間に減衰する。これにより、不特定の線量計７００のアラーム音の音量は、特定の線量計拡張ユニット１００の入力部１２０に到達した時点で、基準音量よりも小さくなり、不特定の線量計７００のアラーム音の音量と基準音量との差が許容値よりも大きくなる。
【０１２０】
よって、制御部１９０は、入力部１２０が検出した音の周波数と音量との両方に基づいて、入力部１２０が検出した音が線量計７００のアラーム音であるか否かを判定することにより、特定作業員以外の作業員が携帯する不特定の線量計７００のアラーム音を、特定の線量計７００のアラーム音であると誤って判定するおそれを抑制できる。
【０１２１】
また、作業員が作業する現場は雑音が激しい環境である。制御部１９０は、入力部１２０が検出した音の周波数と音量との両方に基づいて、入力部１２０が検出した音が線量計７００のアラーム音であるか否かを判定する方が、入力部１２０が検出した雑音を線量計７００のアラーム音と誤って判定するおそれをより抑制できる。
【０１２２】
なお、制御部１９０は、入力部１２０が検出した音の周波数のみに基づいて、入力部１２０が検出した音が線量計７００のアラーム音であるか否かを判定しても、入力部１２０が検出した音が線量計７００のアラーム音であるか否かを実用に足る精度で判定できる。
【０１２３】
この場合、線量計拡張ユニット１００は、例えば、線量計拡張ユニット１００及び線量計７００が遮音シートで覆われて、入力部１２０に不特定の線量計７００のアラーム音が届かないように構成されると好ましい。
【０１２４】
また、制御部１９０は、入力部１２０が検出した音の音量のみに基づいて、入力部１２０が検出した音が線量計７００のアラーム音であるか否かを判定しても、入力部１２０が検出した音が線量計７００のアラーム音であるか否かを実用に足る精度で判定できる。
【０１２５】
この場合、線量計拡張ユニット１００は、入力部１２０が配置される部分のケーシング１１１と線量計７００とが隙間なく正確に密着されて線量計拡張ユニット１００が線量計７００に取り付けられたり、線量計拡張ユニット１００及び線量計７００が遮音シートで覆われたりして、入力部１２０が検出する雑音が十分に低減されると好ましい。
【０１２６】
ここで、線量計拡張ユニット１００が取り付けられる線量計７００が変更される場合には、記憶部１９２に格納されている基準周波数と基準振幅とを更新する必要がある。以下に、基準周波数と基準振幅とを容易に更新するための線量計拡張ユニット１００の構成を説明する。
【０１２７】
線量計拡張ユニット１００は、図１に示すケーシング１１１に例えば録音ボタンが設けられる。制御部１９０は、この録音ボタンと電気的に接続される。制御部１９０は、録音ボタンが操作されている最中に入力部１２０から取得した信号の周波数を新しい基準周波数として記憶部１９２に格納する。
【０１２８】
また、制御部１９０は、録音ボタンが操作されている最中に入力部１２０から取得した信号の振幅を新しい基準振幅として記憶部１９２に格納する。この構成により、管理者は、記憶部１９２に格納されている基準周波数と基準振幅とを容易に更新できる。
【０１２９】
ここで、線量計７００のアラーム音には、特定のパターンが繰り返されて構成されることが多い。そこで、制御部１９０は、例えば、入力部１２０から取得した音の周波数ではなく、入力部１２０から取得した音のパターンを、基準パターンと比較することによって、線量計拡張ユニット１００の累積放射線量が所定値に達したか否かを判定することもできる。基準パターンとは、線量計７００のアラーム音のパターンである。基準パターンは、記憶部１９２にあらかじめ格納される。
【０１３０】
ここで、線量計７００には、振動することにより、累積放射線量が所定値に達したことを特定作業員に伝えるものがある。この場合、線量計拡張ユニット１００は、線量計７００の振動を検出して線量計７００の累積放射線量が所定値に達したことを検出してもよい。以下にそのための線量計拡張ユニット１００の構成を説明する。
【０１３１】
線量計拡張ユニット１００は、入力部１２０に例えば圧電素子が用いられる。線量計拡張ユニット１００は、前記圧電素子が配置される部分のケーシング１１１が線量計７００に接触して取り付けられる。圧電素子は、線量計７００の振動を電気信号に変換して制御部１９０に送る。制御部１９０は、圧電素子から信号を取得すると、線量計拡張ユニット１００の累積放射線量が所定値に達したと判定して、警告ロープ１６４及び確認用赤色発光体１６７を発光させる。
【０１３２】
ここで、制御部１９０は、線量計７００の振動のパターンや、振動の大きさに基づいて、圧電素子から取得した信号が、線量計７００の振動が電気信号に変換されたものであるのか、線量計７００の振動以外の振動が電気信号に変換されたものであるのかを判定してもよい。この場合、線量計拡張ユニット１００は、線量計７００の振動以外の振動が電気信号に変換されたものを圧電素子から取得した際に、誤って警告ロープ１６４及び確認用赤色発光体１６７を発光させるおそれを抑制できる。
【０１３３】
ここで、線量計７００及び線量計拡張ユニット１００は、防護服の内側に装着されるため、特定作業員の汗によって濡れやすい。よって、線量計７００にイヤホン端子のような外部出力端子が設けられていると、外部出力端子を介して特定作業員の汗がケーシング１１１内に侵入するおそれがある。よって、線量計には、外部出力端子が設けられていないことが多い。
【０１３４】
また、数ある線量計の中には、無線通信技術を用いて、機能を拡張できるものもある。しかしながら、原子力発電プラントは、放射線を遮蔽するための遮蔽体によって現場が囲まれている。よって、無線通信技術を用いた線量計では、無線通信が途切れるおそれが考えられる。
【０１３５】
しかしながら、線量計拡張ユニット１００は、無線通信技術を用いずに、外部出力端子が設けられていない線量計７００にも取り付けできる。これにより、線量計拡張ユニット１００は、遮蔽体によって、信号の通信が途切れるおそれもなく、また、線量計７００のケーシング１１１内に汗が進入するおそれも抑制できる。
【０１３６】
（実施形態２）
図４は、実施形態２の線量計と線量計拡張ユニットとを示す斜視図である。数ある線量計の中には、イヤホン端子などの外部出力端子が設けられているものもある。図４に示す実施形態２の線量計拡張ユニット２００は、外部出力端子が設けられている線量計８００専用の線量計拡張ユニットである。
【０１３７】
線量計８００は、外部出力メスコネクタ８２０が設けられる。外部出力メスコネクタ８２０は、例えば、イヤホン端子であって、線量計８００の累積放射線量が所定値に達すると、イヤホンからアラーム音を発生させるための信号が出力される。以下、イヤホンからアラーム音を発生させるための信号をアラーム信号という。
【０１３８】
線量計拡張ユニット２００は、外部入力メスコネクタ２２０がケーシング１１１に設けられる。外部入力メスコネクタ２２０と、外部出力メスコネクタ８２０とは、信号用接続コード２６０によって接続される。具体的には、信号用接続コード２６０は、一方の端部に線量計側オスコネクタ２６１が取り付けられ、他方の端部に拡張ユニット側オスコネクタ２６２が取り付けられる。
【０１３９】
信号用接続コード２６０は、線量計側オスコネクタ２６１が外部出力メスコネクタ８２０に挿し込まれ、拡張ユニット側オスコネクタ２６２が外部入力メスコネクタ２２０に挿し込まれる。これにより、線量計拡張ユニット２００は線量計８００に着脱できるように取り付けられる。なお、本実施形態の取付バンド１７０は、図１に示す入力部１２０を線量計７００に押し付けるためのものではなく、単に、線量計８００と線量計拡張ユニット２００とを束ねるためのものである。
【０１４０】
外部入力メスコネクタ２２０は、制御部２９０に電気的に接続される。これにより、制御部２９０は、アラーム信号を外部入力メスコネクタ２２０から取得する。この場合、制御部２９０は、図３に示すステップＳＴ１０４及びステップＳＴ１０５に代えて、アラーム信号の有無を判定する手順を実行する。
【０１４１】
この場合、制御部２９０が取得するアラーム信号は、線量計拡張ユニット２００が取り付けられる線量計８００のアラーム信号である。よって、例えば、不特定の線量計８００のアラーム信号を特定の線量計拡張ユニット２００が取得することは通常はない。
【０１４２】
これにより、制御部２９０は、図３に示すステップＳＴ１０４及びステップＳＴ０１５を実行せずとも、アラーム信号の有無を判定するのみで、線量計拡張ユニット２００が接続される線量計８００の累積放射線量が所定値に達したことを特定作業員及び不特定作業員の両方に警告できる。
【０１４３】
ここで、作業員が使用する線量計は、普段使い慣れている線量計であることが好ましい。これにより、作業員による線量計の誤操作を抑制できる。図１に示す線量計拡張ユニット１００や、図４に示す線量計拡張ユニット２００は、新しい線量計を導入せずに、既存の線量計に視覚警告機能を拡張できるため、作業員による線量計の誤操作を抑制できる。
【０１４４】
（実施形態３）
図５は、実施形態３の視覚警告型線量計を示す斜視図である。ここで、例えば、新しい原子力発電プラントに導入する場合は、視覚警告機能を最初から備えた視覚警告型線量計９００を導入する方が好ましい。これにより、作業員は、線量計拡張ユニットを携帯する必要がなくなり、作業員が携帯する装置の数を低減できる。
【０１４５】
図５に示す視覚警告型線量計９００は、一般的な線量計に、図４に示す線量計拡張ユニット２００が組み込まれて構成される。但し、視覚警告型線量計９００は、図４に示す外部出力メスコネクタ８２０が設けられる必要はない。
【０１４６】
視覚警告型線量計９００は、表示部９１０と、スピーカー９２０と、電源スイッチ９４０と、リセットスイッチ９５０と、制御部９９０とを備える。表示部９１０は、制御部９９０と電気的に接続される。これにより、制御部９９０は、視覚警告型線量計９００の累積放射線量を表示部９１０に表示する。
【０１４７】
スピーカー９２０は、制御部９９０と電気的に接続される。これにより、制御部９９０は、視覚警告型線量計９００の累積放射線量が所定値に達すると、スピーカー９２０にアラーム信号を送信してスピーカー９２０からアラーム音を発生させる。
【０１４８】
電源スイッチ９４０は、制御部９９０への電気の供給と、電気の供給の停止とを切り替えるスイッチであって、図１及び図４に示す電源スイッチ１４０と同等の機能を実現する。また、リセットスイッチ９５０は、制御部９９０と電気的に接続されて図１及び図４に示すリセットスイッチ１５０と同等の機能を実現する。
【０１４９】
制御部９９０は、視覚警告型線量計９００を通過した放射線量を累積して累積放射線量を算出する。制御部９９０は、この累積放射線量を表示部９１０に表示させる。また、累積放射線量が所定値に達した場合に、スピーカー９２０にアラーム信号を送ってアラーム音を生じさせる。そして、図４に示す制御部２９０と同様に、制御部９９０は、前記アラーム信号の有無を判定して、制御部９９０が前記アラーム信号を有する場合には、図３に示すステップＳＴ１０６以降の手順を実行する。
【０１５０】
上記構成により、視覚警告型線量計９００は、拡張ユニットが取り付けられなくても、視覚警告型線量計９００の累積放射線量が所定値に達したことを、特定作業員及び不特定作業員の両方に警告できる。
【０１５１】
また、視覚警告型線量計９００は、制御部９９０に電気が供給されてから現在までの間で図３に示すステップＳＴ１０６を一度でも実行した後に特定作業員によって電源スイッチ９４０が操作されて制御部９９０への電気の供給が停止されても、電源スイッチ９４０が操作されて制御部９９０に電気が再投入されると、警告ロープ１６４及び確認用赤色発光体１６７を発光させる。
【０１５２】
上記構成により、視覚警告型線量計９００は、特定作業員が不正に電源スイッチ９４０を操作して作業を続行するおそれを抑制できる。
【産業上の利用可能性】
【０１５３】
以上のように、線量計拡張ユニット及び視覚警告型線量計は、累積放射線量が所定値に達したことをより確実に作業員に警告することに適している。
【図面の簡単な説明】
【０１５４】
【図１】実施形態１の線量計と線量計拡張ユニットとを示す斜視図である。
【図２】制御部の構成を模式的に示す構成図である。
【図３】制御部が実行する手順を示すフローチャートである。
【図４】実施形態２の線量計と線量計拡張ユニットとを示す斜視図である。
【図５】実施形態３の視覚警告型線量計を示す斜視図である。
【符号の説明】
【０１５５】
１００  線量計拡張ユニット
１１０  本体
１１１  ケーシング
１１２  貫通孔
１２０  入力部
１３０  メスコネクタ
１４０  電源スイッチ
１５０  リセットスイッチ
１５１  リセット孔
１６０  警告ロープユニット
１６１  オスコネクタ
１６２  接続コード
１６３  集合部
１６４  警告ロープ
１６５  警告用発光体
１６６  確認用青色発光体
１６７  確認用赤色発光体
１７０  取付バンド
１９０  制御部
１９１  入出力ポート
１９２  記憶部
１９３  演算部
２００  線量計拡張ユニット
２２０  外部入力メスコネクタ
２６０  信号用接続コード
２６１  線量計側オスコネクタ
２６２  拡張ユニット側オスコネクタ
２９０  制御部
５５０  リセットスイッチ
７００  線量計
７１０  表示部
８００  線量計
８２０  外部出力メスコネクタ
９００  視覚警告型線量計
９１０  表示部
９２０  スピーカー
９４０  電源スイッチ
９５０  リセットスイッチ
９９０  制御部
【図１】
2010151547.tif 000003
【図２】
2010151547.tif 000004
【図３】
2010151547.tif 000005
【図４】
2010151547.tif 000006
【図５】
2010151547.tif 000007